(57)【要約】【課題】意匠性と安全性が向上した建具とする。【解決手段】枠体１の吊元側縦枠１２に開閉体２を蝶番３で開き位置と閉じ位置とに亘って回動自在に取り付け、前記吊元側縦枠１２にカバー材２０を取り付けて蝶番隠し部材４とし、前記カバー材２０は、吊元側縦枠１２の内側面１２ａと開閉体２の吊元側端面２ａとの間の隙間、及び蝶番３を覆う第１姿勢と、この第１姿勢よりも前記開閉体２から離れた第２姿勢に亘って揺動自在とし、このカバー材２０が第１姿勢のときには前述の隙間、及び蝶番が見えずに意匠性が向上し、開閉体２が閉じ位置から開き位置に向けて回動するときにカバー材２０と開閉体２との間に人の指がはさまれると第２姿勢に揺動して指を傷つけることがなく、安全性を向上する。【選択図】図２
2011052395.tif 000002
【特許請求の範囲】
【請求項１】
枠体に開閉体を蝶番で閉じ位置と開き位置に亘って回動自在に取付け、蝶番隠し部材を備えた建具であって、
前記蝶番隠し部材は、前記枠体の吊元側縦枠と開閉体のいずれか一方に設けたカバー材を有し、
該カバー材は、前記開閉体が閉じ位置のときに、前記吊元側縦枠の内側面と開閉体の吊元側端面との間の隙間、及び前記蝶番を覆う第１姿勢に保持され、このカバー材に開閉体の開閉方向に向かう外力が作用すると第２姿勢に移動し、
前記カバー材が第２姿勢のときには、そのカバー材の先端部が前記吊元側縦枠と開閉体のどちらか他方から離れ、開閉体が開き位置のときにカバー材の先端部と、吊元側縦枠と開閉体のどちらか他方との間の間隔が、カバー材が第１姿勢のときの間隔よりも大きくなるようにしたことを特徴とする建具。
【請求項２】
前記カバー材は第１姿勢と第２姿勢とに亘って、開閉体の開閉方向に向けて揺動自在で、
そのカバー材を第１姿勢で保持すると共に、開閉体の開閉方向に向かう外力が作用すると第２姿勢に揺動するようにした請求項１記載の建具。
【請求項３】
前記カバー材を吊元側縦枠に、第１姿勢と第２姿勢とに亘って開閉体の開閉方向に揺動自在に取り付け、
前記カバー材を第１姿勢で保持すると共に、そのカバー材に、開閉体の閉じ位置から開き位置に向かう方向の外力が作用すると第２姿勢に揺動するようにした請求項２記載の建具。
【請求項４】
前記カバー材の揺動を規制する手段を設け、そのカバー材が第２姿勢より更に揺動して外れることがないようにした請求項２又は３記載の建具。
【請求項５】
前記蝶番隠し部材は、カバー材とベース材を有し、そのベース材にカバー材を第１姿勢と第２姿勢に移動自在に取り付け、
前記ベース部材を吊元側縦枠と開閉体のいずれか一方に取り付けるようにした請求項１〜４いずれか１項記載の建具。
【請求項６】
建具の吊元側縦枠と開閉体のどちらか一方に取り付けるベース材と、このベース材に第１姿勢と第２姿勢に移動自在に取り付けたカバー材を備え、
前記吊元側縦枠と開閉体のどちらか一方にベース材を取り付けることで、カバー材によって吊元側縦枠の内側面と開閉体の吊元側端面との間の隙間、及び蝶番を覆うことができるようにした蝶番隠し部材。
【発明の詳細な説明】
【技術分野】
【０００１】
本発明は、枠体に開閉体を蝶番で開き位置と閉じ位置とに亘って回動自在に取り付けたドアや開き窓等の建具に関する。
【背景技術】
【０００２】
従来、枠体に開閉体を蝶番で回動自在に取り付けたドアや開き窓等の建具において、開閉体が閉じ位置のときに、その開閉体の吊元側端面と枠体の吊元側縦枠の内側面との間に隙間が生じると共に、蝶番が開閉体の見付面よりも突出している。
このために、建具を開き方向正面から見た場合、前記隙間や蝶番が目立ち、意匠性に欠ける。
このことを解消して意匠性を向上するために、開閉体が閉じ位置のときに前記隙間、及び蝶番を覆うカバーを設け、その隙間、及び蝶番が、開閉体が閉じ位置のときに開き方向正面から見えないようにしたドアや開き窓等の建具が提案されている。
例えば、特許文献１に開示したように、開閉体（扉）の吊元側部に蝶番隠しカバー（吊元化粧部材）を取り付け、前記開閉体が閉じ位置のときに、その開閉体の吊元側端面と枠体の吊元側縦枠の内側面との間の隙間、及び蝶番を、前記蝶番隠しカバーで覆って見えないようにしたドアや開き窓等の建具が提案されている。
【先行技術文献】
【特許文献】
【０００３】
【特許文献１】特開２００３−３２１９７６号公報
【発明の概要】
【発明が解決しようとする課題】
【０００４】
前述した従来のドアや開き窓等の建具であると、蝶番隠しカバーを設けたことによって開閉体が閉じ位置のときに隙間や蝶番が見えないので意匠性が向上するが、閉じ位置の開閉体が開き位置に向けて回動すると、蝶番隠しカバーが枠体の吊元側縦枠に接近するので、その蝶番隠しカバーと枠体の吊元側縦枠との間に人の指がはさまれ、指を傷つける恐れがあり、安全性に欠ける。
前記蝶番隠しカバーを枠体の吊元側縦枠に取り付けた場合も同様に、開閉体を開き位置に向けて回動したときに蝶番隠しカバーは動かないが、開閉体の吊元側部が蝶番隠しカバーに接近するので、その開閉体の吊元側部と蝶番隠しカバーとの間に人の指がはさまれ、傷をつける恐れがあり、安全性に欠ける。
いずれにしても、開閉体を閉じ位置から開き位置に向けて回動したときに、蝶番隠しカバーによって人の指を傷つける恐れがあり、安全性に欠ける。
【０００５】
本発明の目的は、開閉体が閉じ位置のときに、開閉体の吊元側端面と枠体の吊元側縦枠の内側面との間の隙間、及び蝶番を蝶番隠し部材で覆って見えなくできると共に、その開閉体が閉じ位置から開き位置に向けて回動したときに蝶番隠し部材で人の指を傷つけることがなく、意匠性を向上できると共に、安全性も向上できるようにしたドアや開き窓などの建具とすることである。
【課題を解決するための手段】
【０００６】
本発明は、枠体に開閉体を蝶番で閉じ位置と開き位置に亘って回動自在に取付け、蝶番隠し部材を備えた建具であって、
前記蝶番隠し部材は、前記枠体の吊元側縦枠と開閉体のいずれか一方に設けたカバー材を有し、
該カバー材は、前記開閉体が閉じ位置のときに、前記吊元側縦枠の内側面と開閉体の吊元側端面との間の隙間、及び前記蝶番を覆う第１姿勢に保持され、このカバー材に開閉体の開閉方向に向かう外力が作用すると第２姿勢に移動し、
前記カバー材が第２姿勢のときには、そのカバー材の先端部が前記吊元側縦枠と開閉体のどちらか他方から離れ、開閉体が開き位置のときにカバー材の先端部と、吊元側縦枠と開閉体のどちらか他方との間の間隔が、カバー材が第１姿勢のときの間隔よりも大きくなるようにしたことを特徴とする建具である。
【０００７】
本発明においては、前記カバー材は第１姿勢と第２姿勢とに亘って、開閉体の開閉方向に向けて揺動自在で、
そのカバー材を第１姿勢で保持すると共に、開閉体の開閉方向に向かう外力が作用すると第２姿勢に揺動するようにできる。
このようにすれば、カバー材の揺動方向と開閉体の回動方向が同一であるから、カバー材の先端部と、開閉体と吊元側縦枠のいずれか他方との間に人の指がはさまれたときには、開閉体の回動によって直ちにカバー材が第２姿勢に揺動し、人の指を傷つけることがない。
【０００８】
本発明においては、前記カバー材を吊元側縦枠に、第１姿勢と第２姿勢とに亘って開閉体の開閉方向に揺動自在に取り付け、
前記カバー材を第１姿勢で保持すると共に、そのカバー材に、開閉体の閉じ位置から開き位置に向かう方向の外力が作用すると第２姿勢に揺動するようにできる。
このようにすれば、閉じ位置の開閉体を開き位置に向けて揺動したときに、カバー材の先端部と開閉体との間に人の指がはさまれると、前述の状態から開閉体をさらに開き位置に向けて揺動すると人の指を介在してカバー材に第２姿勢に向かう力が作用してスムーズに第２姿勢に揺動するので、はさまれた人の指に大きな力が加わることがなく、人の指を傷つけることがない。
【０００９】
本発明においては、前記カバー材の揺動を規制する手段を設け、そのカバー材が第２姿勢より更に揺動して外れることがないようにできる。
このようにすれば、カバー材の揺動を第２姿勢までに規制し、それ以上に揺動してカバー材が外れることがないので、人の指がカバー材の先端部から離れることによって、カバー材を人力で第１姿勢に揺動して保持できる。
【００１０】
本発明においては、前記蝶番隠し部材は、カバー材とベース材を有し、そのベース材にカバー材を第１姿勢と第２姿勢に移動自在に取り付け、
前記ベース部材を吊元側縦枠と開閉体のいずれか一方に取り付けるようにできる。
このようにすれば、ベース材を取り付けることでカバー材を取り付けできるので、蝶番隠し部材を簡単に取り付けできると共に、既存の建具に蝶番隠し部材を取り付けできる。
【００１１】
本発明の建具に用いる蝶番隠し部材は、建具の吊元側縦枠と開閉体のどちらか一方に取り付けるベース材と、このベース材に第１姿勢と第２姿勢に移動自在に取り付けたカバー材を備え、
前記吊元側縦枠と開閉体のどちらか一方にベース材を取り付けることで、カバー材によって吊元側縦枠の内側面と開閉体の吊元側端面との間の隙間、及び蝶番を覆うことができるようにした蝶番隠し部材である。
【発明の効果】
【００１２】
本発明によれば、開閉体が閉じ位置のときに、開閉体の吊元側端面と吊元側縦枠の内側面との間の隙間、及び蝶番が蝶番隠し部材のカバー材で覆われ、見えなくなると共に、その開閉体が閉じ位置から開き位置に向けて回動したときに蝶番隠し部材のカバー材で人の指を傷つけることがなく、意匠性を向上できると共に、安全性も向上できる。
しかも、カバー材を第１姿勢から第２姿勢に移動することで人の指を傷つけないようにするので、そのカバー材をアルミ材などで製作でき、耐候性に優れると共に、開閉体や吊元側縦枠がアルミ材より成る建具の場合等にはカバー材によってデザインに制約を受けることなく、見栄えが悪いものとなることがない。
【図面の簡単な説明】
【００１３】
【図１】本発明の実施の形態を示す建具の外観図である。
【図２】図１のＡ−Ａ拡大詳細断面図である。
【図３】カバー材が第２姿勢の状態の断面図である。
【図４】蝶番隠し部材を開閉体に取り付けた状態の断面図である。
【図５】蝶番隠し部材のカバー材が第２姿勢の状態の断面図である。
【発明を実施するための形態】
【００１４】
図１に示すように、枠体１に開閉体２を蝶番３で閉じ位置と開き位置とに亘って回動自在に取り付けて建具としてある。
図１に示す実施の形態では、枠体１がドア枠で、開閉体２が扉であり、建具はドアとしてある。
これに限ることはなく、例えば、枠体１を窓枠とし、開閉体２を障子として、建具を開き窓としても良い。
前記枠体１は上枠１０と下枠１１と吊元側縦枠１２と戸先側縦枠１３を方形状に連結してある。
前記蝶番３は、吊元側縦枠１２と開閉体２の吊元側部２ａとに亘って取り付けてある。
【００１５】
前記吊元側縦枠１２に蝶番隠し部材４が取り付けてある。
この蝶番隠し部材４はカバー材２０を備え、そのカバー材２０は、前記開閉体２が閉じ位置のときに、前記吊元側縦枠１２の内側面１２ａと開閉体２の吊元側端面２ｂとの間の隙間、及び前記蝶番３を覆って見えなくする。
例えば、カバー材２０を吊元側縦枠１２の開き方向側面１２ｂ、例えば室外側面に、開閉体２の吊元側部２ａに向けて突出して取り付ける。
前記蝶番隠し部材４は開閉体２の吊元側部２ａに取り付けても良い。例えば、開閉体２の吊元側部２ａの開き方向側面２ｃにカバー材２０を、吊元側縦枠１２に向けて突出して取り付ける。
前述の説明において、隙間、及び蝶番３を覆って見えなくするとは、隙間、及び蝶番３の全てを、開閉体２の高さ幅全長に亘って覆い、見えなくすることが最も好ましいが、隙間、及び蝶番３の一部分、つまり任意の範囲のみを覆っても良い。
【００１６】
前記蝶番隠し部材４のカバー材２０は吊元側縦枠１２に、図２に示す第１姿勢に保持して取り付け、その第１姿勢のカバー材２０に開閉体２の開閉方向に向かう外力が作用すると図３に示す第２姿勢に移動するように取り付けてある。
前記カバー材２０が図２に示す第１姿勢のときには、その先端部２０ａの突出寸法が大きい。
つまり、カバー材２０の面内方向の開閉体側端部（２０ａ）の吊元側縦枠１２の内側面１２ａから開閉体２に向かう突出寸法を大きく形成することで、図２に実線で示すように開閉体２が閉じ位置のときに、開閉体２の吊元側端面２ｂと吊元側縦枠１２の内側面１２ａとの間の隙間と蝶番３をカバー材２０で覆うことができ、その隙間、及び蝶番３が開き方向正面から見えないので意匠性を向上することができる。
【００１７】
前記カバー材２０が図３に示す第２姿勢のときには、その先端部２０ａの突出寸法が小さい。
つまり、カバー材２０の面内方向の開閉体側端部（２０ａ）の吊元側縦枠１２の内側面１２ａから開閉体２に向かう突出寸法が小さく、カバー材２０の先端部２０ａが開閉体２と離れる。
これによって、図３に仮想線で示すように開閉体２が開き位置（９０度回転した状態）のときに、その開閉体２（開き方向側面２ｃ）とカバー材２０の先端部２０ａとの間隔Ｓ１が、図２に仮想線で示すようにカバー材２０が第１姿勢のときの間隔Ｓ２よりも大きくなる。
【００１８】
したがって、蝶番３の近くに、人の指がある状態で開閉体２を閉じ位置から開き位置に向けて回動した時に、開閉体２（開き方向側面２ｃ）とカバー材２０の先端部２０ａとの間に人の指がはさまれることがある場合には、カバー材２０に、開閉体２の回動方向に向かう外力が作用し、その外力でカバー材２０は第２姿勢に移動するので、開閉体２とカバー材２０の先端部２０ａとの間に人の指が強くはさまれることがなく、蝶番隠し部材４によって人の指を傷つけることなく、安全性が向上する。
【００１９】
図２に示す実施の形態では、蝶番隠し部材４のカバー材２０は吊元側縦枠１２に、第１姿勢と第２姿勢とに亘って揺動可能で、かつ第１姿勢に保持して取り付け、前述の外力が作用すると保持が解除されて第２姿勢に揺動し、かつ揺動が規制されてカバー材２０が第２姿勢よりも更に揺動して吊元側縦枠１２から外れないようにしてある。
そして、前述の外力が作用しない状態では、第２姿勢のカバー材２０を人力で第１姿勢に揺動して第１姿勢で保持できるようにしてある。
【００２０】
前述のように、カバー材２０の揺動方向と開閉体２の回動方向が同一であるから、カバー材２０の先端部２０ａと開閉体２との間に人の指がはさまれた状態で、開閉体２を開き位置に向けて更に回動したときに、カバー材２０は直ちに第２姿勢に向けて揺動する。
したがって、はさまれた人の指に大きな力が作用することがなく、人の指を傷つけることがない。
【００２１】
しかも、開閉体２とカバー材２０との間に人の指がはさまれてカバー材２０が第２姿勢に揺動した後に、その外力がなくなればカバー材２０を第１姿勢に戻すことで、隙間、及び蝶番を覆って意匠性の向上を再び維持できる。
【００２２】
上記蝶番隠し部材４の詳細を説明する。
図２に示すように、蝶番隠しカバー４は前述のカバー材２０とベース材３０を備えている。
前記ベース材３０は吊元側縦枠１２に、例えば、接着剤、両面接着テープ、ビス、リベットなどの固着手段で固着して取り付けられる。
前記カバー材２０はベース材３０に、前述した第１姿勢と第２姿勢とに亘って移動可能に取り付けてある。
例えば、第１姿勢に保持して取り付けられ、開閉体２の開閉方向の外力が作用することで第２姿勢に移動し、その外力がなくなると人力で第１姿勢に移動して保持できるように取り付けてある。
【００２３】
このようであるから、ベース材３０を吊元側縦枠１２に固着して取り付けることで、蝶番隠し部材４を吊元側縦枠１２に第１姿勢と第２姿勢とに亘って移動可能に取り付けできる。
したがって、蝶番隠し部材４を吊元側縦枠１２に簡単に取り付けできると共に、既設の建具の吊元側縦材１２にも簡単に取り付けできる。
【００２４】
前記カバー材２０は、カバー部２１と、このカバー部２１に設けた支持部２２、保持部２３、規制部２４を有し、カバー部２１が面外方向の開き方向側寄りで、支持部２２、保持部２３、規制部２４が面外方向の閉じ方向側寄りに位置している。
前記支持部２２が面内方向外側寄りで、保持部２３、規制部２４が面内方向内側寄りに位置し、保持部２３よりも規制部２４が面外方向の閉じ方向側に位置している。
【００２５】
前記ベース材３０は、支持受部３１と保持受部３２と規制受部３３を有し、その支持受部３１と保持受部３２、規制受部３３は面内方向に離隔している。
図２においては、支持受部３１が面内方向外側寄り（開閉体２と反対側寄り）で、保持受部３２、規制受部３３が面内方向内側寄り（開閉体２側寄り）に位置し、保持受部３２よりも規制受部３３が面外方向の開き方向側に位置している。
【００２６】
前記支持部２２が支持受部３１に支持されてカバー材２０はベース材３０に第１姿勢と第２姿勢に移動自在に支持される。
前記保持部２３が保持受部３２に保持されることでカバー材２０がベース材３０に第１姿勢に保持される。
前記カバー材２０に開閉体２の開閉方向に向かう外力が作用することで保持部２３が保持受部３２から離脱して第２姿勢に移動し、第２姿勢となると規制部２４が規制受部３３に係止してカバー材２０の移動を規制し、カバー材２０が第２姿勢よりもさらに移動してベース材３０から外れないようにする。
【００２７】
例えば、支持部２２は断面ほぼ円形状の突部で、支持部２２は面内方向外側に向けて突出している。
前記保持部２３は面内方向内側に開口した凹陥部形状で、前記規制部２４は面内方向内側に向かう断面ほぼ３角形状の突部である。
前記支持受部３１は面内方向内側（開閉体２に向かう方向）に開口した凹陥部形状で、保持受部３２は面内方向外側（開閉体２と反対方向に向かう）に向かう突部形状である。
前記規制受部３３は、前記保持受部３２の突部における面外方向の閉じ方向側コーナー部である。なお、規制受部３３は、保持受部３２の突部とは別の突部としても良い。
【００２８】
そして、カバー材２０はベース材３０に次のようにして取り付けられ、そのベース材３０を吊元側縦枠１２の開き方向側面１２ｂに取り付けて蝶番隠し部材４を取り付ける。
前記カバー材２０の支持部２２がベース材３０の支持受部３１に面外方向に揺動自在に嵌まり合い、その嵌まり合い部を支点としてカバー材３０が前述の第１姿勢と第２姿勢に亘って揺動自在に取り付けられる。
前記カバー材３０が第１姿勢のときには、カバー部２１が蝶番３に接近して前述の隙間と蝶番３を覆い、第２姿勢のときには、カバー部２１が蝶番３から離れる。つまり、カバー部２１の先端部２１ａが前述したカバー材２０の先端部２０ａである。
前記保持部２３が保持受部３２に嵌合することで、カバー材２０が第１姿勢で保持される。このとき、規制部２４は規制受部３３と離れ、面外方向の閉じ方向側寄りに位置している。
【００２９】
前述のように、第１姿勢で保持されているカバー材２０に、開閉体２の開閉方向に向かう力、例えば矢印ａの方向の外力が作用すると、カバー材２０は前述の支持部２２と支持受部３１の嵌まり合い部を支点として矢印ａ方向に揺動しようとして保持部２３が保持受部３２から外れ、カバー材２０が第２姿勢に揺動する。
そして、カバー材２０が第２姿勢まで揺動すると、規制部２４が規制受部３３に係止してカバー材２０がそれ以上揺動しないように規制し、カバー材２０がベース材３０から外れないようにする。
【００３０】
このように、開閉体２が閉じ位置から開き位置に向けて回動するときに、その開閉体２とカバー材２０の先端部２０ａとの間に人に指がはさまれた場合に、開閉体２が更に開き方向に回動すると、人の指を介してカバー体２０がスムーズに第２姿勢に向けて揺動するので、人の指に大きな力が作用することがなく、カバー材２０で人の指を傷つけることがない。
【００３１】
前記カバー材２０とベース材３０の具体形状を説明する。
前記カバー材２０は、面内方向に向かう板状のカバー部２１の面内方向の中間に面外方向の閉じ方向側に向かう当接片２５を有し、この当接片２５の面外方向の中間に支持片２６を有している。
前記支持片２６の先端部を前述の支持部２２とする。
前記当接片２５の閉じ方向側寄り（カバー部２１と反対側寄り）に突条２７と突起２８を面外方向に離隔して有し、その突条２７と突起２８との間を前述の保持部２３としてある。
前記当接片２５の閉じ方向側端部に突部２９を設けて前述の規制部２４としてある。
【００３２】
前記ベース材３０は、取付片３４に、支持受部３１と保持受部３２と規制受部３３を設けてある。
前記取付片３４は一側片３４ａと他側片３４ｂで鉤形状で、吊元側縦枠１２の開き方向側面１２ｂにおける鉤形部に取り付けられる。
前記他側片３４ｂに突片３５を設け、この突片３５と一側片３４ａとで支持受部３１を形成している。
前記一側片３４に鉤片３６を設け、この鉤片３６の先端部３６ａを保持受部３２とし、その先端部３６ａの室内側のコーナー部を規制受部３３としてある。
【００３３】
このようであるから、カバー部２１の先端部２１ａと支持部２２が遠く離れ、そのカバー部２１の先端部２１ａに作用する力でカバー材２０は確実に揺動すると共に、当接片２５が湾曲変形して保持部２３が保持受部３２から離脱し易い。
これによって、カバー材２０はスムーズに第２姿勢に揺動することができる。
【００３４】
前記蝶番３の一側羽根３ａが吊元側縦枠１２の内側面１２ａに固着して取り付けてあると共に、他側羽根３ｂが開閉体２の吊元側端面２ｂに固着して取り付けてあり、その一側羽根３ａと他側羽根３ｂの回動自在な連結部３ｃが、開閉体２が閉じ位置のときに、その開き方向側面２ｃよりも開き方向側に突出している。
そして、開閉体２の開き位置よりも更に開き方向に回動、例えば９０度以上回動すると、蝶番３の他側羽根３ｂがカバー材２０の先端部２０ａに干渉するようにしてある。
【００３５】
前述したように、蝶番隠し部材４を開閉体２に取り付ける場合には、図４に示すように、ベース材３０を開閉体２の吊元側２ａにおける開き方向側面２ｃに取り付け、カバー材２０の先端部２０ａが吊元側縦枠１２に向かうようにする。
【００３６】
そして、開閉体２が閉じ位置で、カバー材２０が第１姿勢のときには図４に示すように、そのカバー材２０によって前述の隙間と蝶番３を覆うようにする。
図５に示すように、カバー材２０が第２姿勢のときには、その先端部２０ａが吊元側縦枠１２から離れるようにする。
【００３７】
これによって、図４、図５に仮想線で示すように、開閉体２が開き位置のときのカバー材２０の先端部２０ａと吊元側縦枠１２の間の間隔Ｓ１，Ｓ２が、カバー材２０が第１姿勢のときの間隔Ｓ２よりも第２姿勢のときの間隔Ｓ１が大きくなる。
したがって、蝶番隠し部材４によって人の指を傷つけることがないようにできる。
【００３８】
前記カバー材２０は、第１姿勢と第２姿勢とに亘ってほぼ平行移動するようにしても良い。
【００３９】
前述の各実施の形態では、蝶番隠し部材４をカバー材２０とベース材３０を有し、そのベース材３０にカバー材２０を第１姿勢と第２姿勢に移動可能に取り付けしたが、蝶番隠し部材４をカバー材２０のみとし、そのカバー材２０を吊元側縦枠１２に第１姿勢と第２姿勢に亘って移動可能に取り付けしても良い。
例えば、吊元側縦枠１２を、支持受部３１、保持受部３２、規制受部３３を有する形状とし、カバー材２０をカバー部２１、支持部２２、保持部２３、規制部２４を有する形状とし、その支持部２２、保持部２３を前述の支持受部３１、保持受部３２に嵌め込んでカバー材２０を吊元側縦枠１２に第１姿勢と第２姿勢に亘って揺動できるように取り付ける。
このことは、開閉体２に蝶番隠し部材４を取り付ける場合も同様である。
【符号の説明】
【００４０】
１…枠体、２…開閉体、２ａ…吊元側端面、３…蝶番、４…蝶番隠し部材、１２…吊元側縦枠、１２ａ…内側面、２０…カバー材、２０ａ…先端部、３０…ベース材。
【図１】
2011052395.tif 000003
【図２】
2011052395.tif 000004
【図３】
2011052395.tif 000005
【図４】
2011052395.tif 000006
【図５】
2011052395.tif 000007